(57)【要約】【課題】ベース及び着座機構を同時に折り畳み、または、上下個別に折り畳むことができ、折り畳むと形状が扁平状になる折り畳み可能なロッキングチェアを提供する。【解決手段】  折り畳み可能なロッキングチェアは、着座機構１０と、着座機構１０の底部に配設されるベース２０とを備える。ベース２０は、床面に接触し、ベース２０両側に設けられたベース支持杆２１と、着座機構１０の座席バー１２の両側に設けられた延伸体１２２とが複数の揺板３０により接続され、着座機構１０が空中に浮かぶようにベース２０上方に結合され、ベース２０上で前後に搖動するとともに、着座機構１０により傾斜角度を調整した後、当該傾斜角度を固定させ、ベース２０と着座機構１０とを同時に折り畳むか、または上下個別に折り畳んで形状を扁平状に形成する。着座機構１０は、背凭れバー１１、座席バー１２、フットレストバー１３及び２つのアームレスト１４を有する。【選択図】図９
0003185219.tif 000002
【実用新案登録請求の範囲】
【請求項１】
着座機構と、着座機構の底部に配設されるベースとを備えた折り畳み可能なロッキングチェアであって、
ベースは、床面に接触し、ベース両側に設けられたベース支持杆と、着座機構の座席バーの両側に設けられた延伸体とが複数の揺板により接続され、着座機構が空中に浮かぶようにベース上方に結合され、ベース上で前後に搖動するとともに、着座機構により傾斜角度を調整した後、当該傾斜角度を固定させ、ベースと着座機構とを同時に折り畳むか、又は上下個別に折り畳んで扁平状に形成することを特徴とする折り畳み可能なロッキングチェア。
【請求項２】
着座機構は、背凭れバー、座席バー、フットレストバー及び２つのアームレストを有するものであって、
背凭れバーには、アームレストの一端を枢着させるアームレスト取付孔が形成され、背凭れバーの下端が座席バー後端の接続ベース内に枢着され、座席バー上には、快適な着座が可能なクッションが配設され、座席バーの後端には、接続ベースが設けられ、接続ベース前部には穿孔が形成され、前端がフットレストバーの接続ベース内に枢着され、座席バーの側面が下方に延びて延伸体が延設され、延伸体の下端には、取付孔が形成され、フットレストバーの上端には、接続孔が形成され、接続孔下方には、座席バーが枢着される接続ベースが配設され、アームレストの前端がフットレストバー上端の接続孔に接続されることを特徴とする請求項１に記載の折り畳み可能なロッキングチェア。
【請求項３】
着座機構のアームレストには、固定装置を有するスライドベースが摺動自在に嵌合され、スライドベース内には、自由杆が取り付けられ、自由杆の他端が座席バーの穿孔に接続され、背凭れバーとフットレストバーとによる傾斜角度が調整されると、スライドベースがアームレスト上で摺動し、調整が完了した後、スライドベースの固定装置により、アームレスト上の固定位置にスライドベースを固定させ、背凭れバーとフットレストバーとからなる傾斜角度を固定させることを特徴とする請求項２に記載の折り畳み可能なロッキングチェア。
【請求項４】
着座機構をベース上で前後に搖動する際、アームレスト上のスライドベースの固定装置により、背凭れバーとフットレストバーとからなる傾斜角度を固定させ、背凭れバーとフットレストバーとからなる傾斜角度が着座機構の前後の動きにより変わることを防ぐか、或いは固定装置を使用せずに、背凭れバーとフットレストバーとからなる傾斜角度が着座機構の前後の動きに応じて自在に変化することを特徴とする請求項１又は３に記載の折り畳み可能なロッキングチェア。
【請求項５】
ベースは、ベース支持杆、第１の脚フレーム及び第２の脚フレームを含み、
ベース支持杆の両端には、取付孔が形成され、２つの取付孔間には、第１の接続孔及び第２の接続孔が設けられ、第１の接続孔は第２の接続孔より低く、第１の脚フレームの上端は、第２の脚フレームの接続ベースに接続され、その上に貫通孔が形成され、ベース支持杆の接続孔と対応して接続され、第２の脚フレームの上端には、接続ベースが設けられ、接続ベース下方の適宜な箇所に貫通孔が形成され、貫通孔には、連動揺杆が取り付けられ、連動揺杆は、一端が第２の脚フレームの貫通孔に接続され、他端がベース支持杆の第２の接続孔に接続され、連動揺杆には、第２の脚フレームの位置を固定させる固定部が設けられることを特徴とする請求項１に記載の折り畳み可能なロッキングチェア。
【請求項６】
着座機構の延伸体は、座席バー上に設けられるか、又はクッション又はアームレストから直接下方へ向かって延長させることを特徴とする請求項２に記載の折り畳み可能なロッキングチェア。
【請求項７】
ベース支持杆の前後両端を、適宜な角度で上斜め前方に傾斜させ、揺板の長さを長くすることを特徴とする請求項５に記載の折り畳み可能なロッキングチェア。
【請求項８】
着座機構の座席バーの延伸体は、幅が広い幅広板状延伸体、１ピース式の平板状延伸体又は枠体延伸体であることを特徴とする請求項２に記載の折り畳み可能なロッキングチェア。
【考案の詳細な説明】
【技術分野】
【０００１】
本考案は、折り畳み可能なロッキングチェアに関するものであり、さらに詳しくは、着座機構と、着座機構の底部に取り付けたベースとから構成され、ベース及び着座機構を一緒に折り畳み、また、上下個別に折り畳みことも可能であり、折り畳むと形状が扁平状になる折り畳み可能なロッキングチェアに関するものである。
【背景技術】
【０００２】
現在市販されているロッキングチェアは、主に折り畳むことができないロッキングチェア（市販されてすでに五十数年経つ。）及び折り畳み可能なロッキングチェア（近年市販されている比較的新しい製品。）に分けられる。以下その構造について説明する。
【０００３】
図１に示すように、従来の折り畳むことができないロッキングチェア（以下、「従来構造１」と称する。）は、主に着座部５０及びベース５１を含む。着座部５０とベース５１との間は、揺杆５２により接続され、ベース５１上で着座部５０が揺動可能な構成となっている。従来構造１は、以下の長所及び欠点を有する。
【０００４】
（長所）
ベース５１の上端により着座部５０の重量を支えて床面に接触する構成をとっている。着座部５０とベース５１との間の揺杆５２により搖動動作を行い、揺杆５２が床面に直接接触せずに空中に吊り下げられた構造であるため、搖動させることができる。
【０００５】
（欠点）
（１）全体構造が折り曲げることができない構造であるため、占有空間が大きく、収納及び倉庫管理が困難である。
（２）重量が非常に大きいため、屋外でのリクリエーションで使用したり運搬したりする際には、不便である。
【０００６】
図２を参照する。図２に示すように、従来の調整式ロッキングチェア（以下「従来構造２」と称する）は、折り畳むことができないロッキングチェアであり、主に着座部６０と、着座部６０の底部に取り付けられた弧状底杆６１と、を含み、弧状底杆６１が床面に接触し搖動する。従来構造２は、以下の欠点を有する。
【０００７】
（欠点）
（１）搖動する際、最底端に設けられた弧状底杆６１が着座者の体重により生じる下向きの力と、前後に搖動する横向きの作動力とを受けるため、容易に変形して損壊したり、搖動させるのに大きな力が必要で動作がスムーズでない。
（２）弧状底杆６１が床面に直接接触するため、例えば、平滑な床上（例えば、住宅内）で搖動すると、小さな摩擦力により滑ってしまい危険なことがある。
（３）弧状底杆６１が床面に直接接触するため、屋外（例えば、土壌が柔らかい場所）で使用する場合、摩擦力が大きくなりすぎてロッキングチェアの搖動が好ましくないことがある。
（４）全体構造が固定されて折り曲げることができないため、占有空間が非常に大きく、収納したり倉庫を管理したりすることが困難である。
（５）重量が非常に重いため、屋外においてリクリエーションで使用及び運搬の際にも不便である。
【０００８】
図３を参照する。図３に示すように、従来のロッキングチェアフレーム構造（以下「従来構造３」と称する）は、折り畳むことができるロッキングチェアであり、主に折り畳み椅子バー７０と、折り畳み椅子バー７０の底部に取り付けられた弧状底杆７１と、を含み、椅子の脚部の最底端に形成された円弧状のベースにより、椅子を搖動させることができるが、従来構造３は、以下の長所及び欠点を有する。
【０００９】
（長所）
折り畳み椅子バー７０と弧状底杆７１とにより全体を折り畳むことができるため、占有空間が小さく、収納又は倉庫管理が容易である。
【００１０】
（欠点）
（１）椅子が搖動する際、最底端に設けられた弧状底杆７１がユーザの体重により発生する下向きの力と、前後に搖動する横向きの力とを受けるため、容易に変形したり損壊することがある上、搖動させるのに大きな力が必要で動作がスムーズでない。
（２）弧状底杆７１が床面に直接接触し、例えば、滑らかな床上（例えば、住宅内）で搖動する場合、小さな摩擦力により滑って危険なことがある。
（３）弧状底杆７１が床面に直接接触し、屋外（例えば、土壌が柔らかい場所）で使用する場合、摩擦力が大きすぎて、ロッキングチェアの搖動が好ましくないことがある。
【００１１】
上述したことから分かるように、従来構造２，３において、椅子フレームの底部に取り付けられた弧状底杆７１により、子どもが遊びに用いる木馬のように設計されていたが、大きな欠点があったため改良が求められていた。
【００１２】
特開平１０−２７２０２９号公報（以下、「特許文献１」という。）には、互いに交差して設けられた第１、第２部材が１対のアーム部材、１対の支持棒及び各軸支部を介して互いに相対回動自在なロッキング動作を行なうことができる構成としたロッキングチェアが記載されている。しかし、円滑なロッキング動作を行なうには改良の余地が残されている。
【特許文献１】特開平１０−２７２０２９号公報
【考案の概要】
【考案が解決しようとする課題】
【００１３】
本考案の第１の課題は、着座機構搖動構造及び折り畳み構造を有し、複数の揺板と延伸体とを接続し、揺板により着座機構が空中に浮かぶようにベース上方に結合され、ベース上で前後に搖動し、ベースが床面に対する往復動作による摩擦により生ずる摩耗または滑動を防止することができる折り畳み可能なロッキングチェアを提供することにある。
【００１４】
本考案の第２の課題は、複数の揺板と延伸体とを接続し、着座機構をベース上で前後に搖動させるため、ベースが床面に接触して受ける力が不均等となり変形することを防止できる折り畳み可能なロッキングチェアを提供することにある。
【００１５】
本考案の第３の課題は、ベース及び着座機構を折り畳んで体積を小さくすることができ、外出して屋外で使用する際、便利に携帯できる上、室内に収納、または倉庫に保管、或いは運送する場合、折り畳んで占有空間を小さくすることができる折り畳み可能なロッキングチェアを提供することにある。
【００１６】
本考案の第４の課題は、着座機構が、傾斜角度の調整可能なリクライニング機能を有するだけでなく、前後に搖動させることもできるロッキングチェアとしての機能も有し、ベースと一緒に折り畳み、または上下個別に折り畳むことにより体積を小さくすることができる折り畳み可能なロッキングチェアを提供することにある。
【課題を解決するための手段】
【００１７】
上記課題を解決するために、本考案によれば、着座機構と、着座機構の底部に配設されるベースとを備えた折り畳み可能なロッキングチェアであって、
ベースは、床面に接触し、ベース両側に設けられたベース支持杆と、着座機構の座席バーの両側に設けられた延伸体とが複数の揺板により接続され、着座機構が空中に浮かぶようにベース上方に結合され、ベース上で前後に搖動するとともに、着座機構により傾斜角度を調整した後、当該傾斜角度を固定させ、ベースと着座機構とを一緒に折り畳むか、上下個別に折り畳んで形状を扁平状に形成することを特徴とする折り畳み可能なロッキングチェア
が提供される。
【００１８】
着座機構は、背凭れバー、座席バー、フットレストバー及び２つのアームレストを有するものであって、
背凭れバーには、アームレストの一端を枢着させるアームレスト取付孔が形成され、背凭れバーの下端が座席バー後端の接続ベース内に枢着され、座席バー上には、快適な着座が可能なクッションが配設され、座席バーの後端には、接続ベースが設けられ、接続ベース前部には穿孔が形成され、前端がフットレストバーの接続ベース内に枢着され、座席バーの側面が下方に延びて延伸体が延設され、延伸体の下端には、取付孔が形成され、フットレストバーの上端には、接続孔が形成され、接続孔下方には、座席バーが枢着される接続ベースが配設され、アームレストの前端がフットレストバー上端の接続孔に接続されることが好ましい。
【００１９】
着座機構のアームレストには、固定装置を有するスライドベースが摺動自在に嵌合され、スライドベース内には、自由杆が取り付けられ、自由杆の他端が座席バーの穿孔に接続され、背凭れバーとフットレストバーとによる傾斜角度が調整されると、スライドベースがアームレスト上で摺動し、調整が完了した後、スライドベースの固定装置により、アームレスト上の固定位置にスライドベースを固定させ、背凭れバーとフットレストバーとからなる傾斜角度を固定させることが好ましい。
【００２０】
着座機構をベース上で前後に搖動す際、アームレスト上のスライドベースの固定装置により、背凭れバーとフットレストバーとからなる傾斜角度を固定させ、背凭れバーとフットレストバーとからなる傾斜角度が着座機構の前後の動きにより変わることを防ぐか、或いは固定装置を使用せずに、背凭れバーとフットレストバーとからなる傾斜角度が着座機構の前後の動きに応じて自在に変化することが好ましい。
【００２１】
ベースは、ベース支持杆、第１の脚フレーム及び第２の脚フレームを含み、ベース支持杆の両端には、取付孔が形成され、２つの取付孔間には、第１の接続孔及び第２の接続孔が設けられ、第１の接続孔は第２の接続孔より低く、第１の脚フレームの上端は、第２の脚フレームの接続ベースに接続され、その上に貫通孔が形成され、ベース支持杆の接続孔と対応して接続され、第２の脚フレームの上端には、接続ベースが設けられ、接続ベース下方の適宜な箇所に貫通孔が形成され、貫通孔には、連動揺杆が取り付けられ、連動揺杆は、一端が第２の脚フレームの貫通孔に接続され、他端がベース支持杆の第２の接続孔に接続され、連動揺杆には、第２の脚フレームの位置を固定させる固定部が設けられることが好ましい。
【００２２】
着座機構の延伸体は、座席バー上に設けられるか、クッション又はアームレストから直接下方へ向かって延びることが好ましい。
【００２３】
ベース支持杆の前後両端を、適宜な角度で上斜め前方に傾斜させ、揺板の長さを長くすることが好ましい。
【００２４】
着座機構の座席バーの延伸体は、幅が広い幅広板状延伸体、１ピース式の平板状延伸体又は枠体延伸体であることが好ましい。
【考案の効果】
【００２５】
本考案は、上記の通りの構成からなり、着座機構と着座機構の底部に取り付けられたベースを同時に、またはそれぞれ個別に折り畳むことができ、取扱い上、利便性に優れ、収納及び保管管理も容易である。
【図面の簡単な説明】
【００２６】
【図１】図１は、従来構造１を示す斜視図である。
【図２】図２は、従来構造２を示す斜視図である。
【図３】図３は、従来構造３を示す斜視図である。
【図４】図４は、本考案の一実施形態に係る折り畳み可能なロッキングチェアの着座機構及び揺板構造を示す斜視図である。
【図５】図５は、本考案の一実施形態に係る折り畳み可能なロッキングチェアの着座機構が可動自在な状態を示す動作図である。
【図６】図６は、本考案の一実施形態に係る折り畳み可能なロッキングチェアのベース構造を示す斜視図である。
【図７】図７は、本考案の一実施形態に係る折り畳み可能なロッキングチェアのベースが可動自在な状態を示す動作図である。
【図８】図８は、本考案の一実施形態に係る折り畳み可能なロッキングチェアの着座機構とベースとを組み合わせたときの状態を示す斜視図である。
【図９】図９は、本考案の一実施形態に係る折り畳み可能なロッキングチェアの着座機構、ベース及び揺板を組み合わせるときの状態を示す分解斜視図である。
【図１０】図１０は、本考案の一実施形態に係る折り畳み可能なロッキングチェアの着座機構が搖動するときの状態を示す動作図（１）である。
【図１１】図１１は、本考案の一実施形態に係る折り畳み可能なロッキングチェアの着座機構が搖動するときの状態を示す動作図（２）である。
【図１２】図１２は、本考案の一実施形態に係る折り畳み可能なロッキングチェアを折り畳むときの状態を示す動作図（１）である。
【図１３】図１３は、本考案の一実施形態に係る折り畳み可能なロッキングチェアを折り畳むときの状態を示す動作図（２）である。
【図１４】図１４は、本考案の一実施形態に係る折り畳み可能なロッキングチェアの着座機構とベースとを折り畳んだときの状態を示す斜視図である。
【図１５】図１５は、本考案の一実施形態に係る幅広板状延伸体を示す模式図である。
【図１６】図１６は、本考案の一実施形態に係る平板状延伸体を示す模式図である。
【図１７】図１７は、本考案の一実施形態に係る枠体延伸体を示す模式図である。
【図１８】図１８は、本考案の一実施形態に係る折り畳み可能なロッキングチェアを示す斜視図である。
【図１９】図１９は、本考案の一実施形態に係る折り畳み可能なロッキングチェアを折り畳むときの状態を示す模式図である。
【図２０】図２０は、本考案の一実施形態に係る折り畳み可能なロッキングチェアを折り畳むときの状態を示す模式図である。
【考案を実施するための形態】
【００２７】
以下、本考案の実施形態について図面に基づいて説明する。なお、これによって本考案が限定されるものではない。
【００２８】
図４、図８及び図９を参照する。図４、図８及び図９に示すように、本考案の一実施形態に係る折り畳み可能なロッキングチェアは、少なくとも着座機構１０と、着座機構１０の底部に配設されたベース２０と、から構成される。ベース２０は、床面に接触し、複数の揺板３０によりベース２０両側に設けられたベース支持杆２１と、着座機構１０の座席バー１２の両側に設けられた延伸体１２２とが接続され、着座機構１０が空中に浮いた状態でベース２０上方に結合され、前後に搖動するとともに、着座機構１０により傾斜角度を調整した後、調整した傾斜角度を固定し、ベース２０と着座機構１０とを同時に折り畳むか、又は上下個別に折り畳んで形状を扁平状に形成してもよい。
【００２９】
図４、図８及び図９を参照する。図４、図８及び図９に示すように、本考案の一実施形態に係る折り畳み可能なロッキングチェアは、少なくとも着座機構１０と、着座機構１０の底部に配設されたベース２０と、から構成される。着座機構１０とベース２０との間には、複数の揺板３０が接続されている。着座機構１０は、背凭れバー１１、座席バー１２、フットレストバー１３及び２つのアームレスト１４を含む。背凭れバー１１の適宜な箇所には、アームレスト１４の一端を枢着させるアームレスト取付孔１１１が形成され、その下端が座席バー１２の後端の接続ベース１２１内に枢着される。座席バー１２上には、快適に座ることができるようにクッションが配設される。座席バー１２の後端には、接続ベース１２１が設けられる。接続ベース１２１前部の適宜な箇所には穿孔１２６が形成され、前端がフットレストバー１３の接続ベース１３２内に枢着され、座席バー１２の側面が下向きに延びて延伸体１２２が延設されている。延伸体１２２の下端には、取付孔１２２１が形成される。延伸体１２２は、座席バー１２上に設けることだけに限定されるわけではなく、例えば、クッション又はアームレスト１４の下方から延びて突出されてもよい。フットレストバー１３の上端には、接続孔１３１が形成され、接続孔１３１の下方の適宜な箇所には、接続ベース１３２が設けられ、アームレスト１４の前端がフットレストバー１３の接続孔１３１に接続される。アームレスト１４上には、摺動自在で固定装置１５１を有するスライドベース１５が嵌合される。スライドベース１５内には、自由杆１５２が配設される。自由杆１５２の他端と座席バー１２上の穿孔１２６とが接続され、背凭れバー１１とフットレストバー１３との傾斜角度が調整されると、スライドベース１５がアームレスト１４上で摺動し、調整が完了した後、スライドベース１５の固定装置１５１により、スライドベース１５がアームレスト１４上の固定位置に固定され、背凭れバー１１とフットレストバー１３とからなる傾斜角度を固定させる（図５参照）。
【００３０】
図６、図８及び図９を参照する。図６、図８及び図９に示すように、本考案の一実施形態に係る折り畳み可能なロッキングチェアのベース２０は、２つのベース支持杆２１、第１の脚フレーム２２及び第２の脚フレーム２３を含む。ベース支持杆２１の両端には、取付孔２１１が設けられる。２つの取付孔２１１間には、第１の接続孔２１２及び第２の接続孔２１３を有する。第１の脚フレーム２２の上端は、接続ベース２３１を介して第２の脚フレーム２３と接続され、その上に貫通孔２２１を形成し、リベットによりベース支持杆２１の第１の接続孔２１２と対応して接続され、第２の脚フレーム２３上の接続ベース２３１下方の適宜な箇所に貫通孔２３２が形成される。貫通孔２３２は、リベットにより連動揺杆２４の下端に接続される。連動揺杆２４の上端には、ベース支持杆２１の第２の接続孔２１３が接続される。連動揺杆２４上には固定部２４１が設けられ、全体構造を展開する際に第２の脚フレーム２３の位置を固定させる。ベース２０の折り畳み方式は図７を参照する。
【００３１】
図８、図９、図１０及び図１１を参照する。図８、図９、図１０及び図１１に示すように、ベース２０と着座機構１０との間が複数の揺板３０により接続される。揺板３０は、一端が座席バー１２の延伸体１２２の取付孔１２２１と接続され、他端がベース支持杆２１の取付孔２１１と接続され、着座機構１０がベース２０上で前後に搖動、着座機構１０がベース２０上で前後に搖動する際、アームレスト１４上のスライドベース１５の固定装置１５１により、背凭れバー１１とフットレストバー１３とにより形成される傾斜角度を固定させ、背凭れバー１１とフットレストバー１３とが着座機構１０の前後の動きにより傾斜角度を変えることを防ぐが、勿論、固定装置１５１を使用せずに、背凭れバー１１とフットレストバー１３とからなる傾斜角度が着座機構１０の前後の動きに応じて自在に変化するようにしてもよい。
【００３２】
ベース支持杆２１の前後両端を、適宜な角度で上斜め前方に傾斜させ、揺板３０の長さを延ばして好適な搖動角度及びスムーズな動作を得てもよい。
【００３３】
図１２を参照する。図１２に示すように、折り畳む際、ベース２０の第１の脚フレーム２２は、ベース支持杆２１の第１の接続孔２１２を回転支点として、第２の脚フレーム２３へ向けて倒すとともに、第１の脚フレーム２２の旋回により第２の脚フレーム２３を上方へ変位させ、その上に接続された連動揺杆２４が、ベース支持杆２１の第２の接続孔２１３を回転支点として、第２の脚フレーム２３とベース支持杆２１とを平行にしてベース２０が折り畳まれるまで、ベース支持杆２１へ向けて倒す。
【００３４】
図１３及び図１４を参照する。図１３及び図１４に示すように、着座機構１０の折り畳みは、背凭れバー１１が座席バー１２の接続ベース１２１を回転支点として座席バー１２へ向けて倒すとともに、アームレスト１４が背凭れバー１１により押されて前方に変位し、全体構造が扁平状に形成されて折り畳まれるまで、フットレストバー１３を押し動かして接続ベース１３２を回転支点としてベース２０へ向けて倒す。
【００３５】
図１５及び図１６を参照する。図１５及び図１６に示すように、座席バー１２の延伸体１２２は、幅が広い幅広板状延伸体１２３又は１ピース式の平板状延伸体１２４でもよく、着座機構１０がベース２０上で前後に搖動すると、揺板３０と延伸体１２２とによる角度変化が生成させる夾角により危険となる可能性があり、幅広板状延伸体１２３と平板状延伸体１２４とにより、夾角により危険が発生することを防ぐ。
【００３６】
図１７を参照する。図１７に示すように、座席バー１２の延伸体１２２は、枠体延伸体１２５でもよい。
【００３７】
本考案の着座機構１０は、折り畳むことが可能なベース２０との組み合わせだけに限定されるわけではなく、オフィス用椅子のベース上に独立して設け、一般のオフィス用椅子に搖動機能及び折り畳み機能を付与するようにしてもよい。図１８及び図１９に示すように、本考案の他の実施形態では、着座機構１０とオフィス用ベース４０とが組み合わされている。
【００３８】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３９】
１０  着座機構
１１  背凭れバー
１２  座席バー
１３  フットレストバー
１４  アームレスト
１５  スライドベース
１６  接続バー
２０  ベース
２１  ベース支持杆
２２  第１の脚フレーム
２３  第２の脚フレーム
２４  連動揺杆
３０  揺板
４０  オフィス用ベース
４１  ベース支持杆
５０  着座部
５１  ベース
５２  揺杆
６０  着座部
６１  弧状底杆
７０  折り畳み椅子バー
７１  弧状底杆
１１１  アームレスト取付孔
１２１  接続ベース
１２２  延伸体
１２３  幅広板状延伸体
１２４  平板状延伸体
１２５  枠体延伸体
１２６  穿孔
１３１  接続孔
１３２  接続ベース
１５１  固定装置
１５２  自由杆
１６１  接続ベース
１６２  接続孔
２１１  取付孔
２１２  第１の接続孔
２１３  第２の接続孔
２２１  貫通孔
２３１  接続ベース
２３２  貫通孔
２４１  固定部
４１１  取付孔
１２２１  取付孔
【図１】
0003185219.tif 000003
【図２】
0003185219.tif 000004
【図３】
0003185219.tif 000005
【図４】
0003185219.tif 000006
【図５】
0003185219.tif 000007
【図６】
0003185219.tif 000008
【図７】
0003185219.tif 000009
【図８】
0003185219.tif 000010
【図９】
0003185219.tif 000011
【図１０】
0003185219.tif 000012
【図１１】
0003185219.tif 000013
【図１２】
0003185219.tif 000014
【図１３】
0003185219.tif 000015
【図１４】
0003185219.tif 000016
【図１５】
0003185219.tif 000017
【図１６】
0003185219.tif 000018
【図１７】
0003185219.tif 000019
【図１８】
0003185219.tif 000020
【図１９】
0003185219.tif 000021
【図２０】
0003185219.tif 000022